(57)【要約】【課題】複数ビットで構成される情報を１度の光照射、光検出で同時に再生することが可能な情報再生装置及び方法を提供する。【解決手段】ナノメータサイズの複数の微粒子が互いに近接配置された媒体２、或いはナノメータサイズのピッチで形状又は物性に改変が施された媒体２に対して光を照射する光プローブ１３と、少なくとも光が照射された領域を含むように検出領域を設定し、当該検出領域における媒体２からの戻り光を検出する光検出器１４と、検出した戻り光のスペクトルを所定の波長間隔毎に切り出し、切り出したスペクトルの強度分布に基づいて二値化したデジタルデータを波長間隔毎に生成する。【選択図】図１
2009170008.tif 000002
【特許請求の範囲】
【請求項１】
媒体上に記録された情報を再生するための情報再生装置において、
ナノメータサイズの複数の微粒子が互いに近接配置された上記媒体、或いはナノメータサイズのピッチで形状又は物性に改変が施された上記媒体に対して光を照射する光照射手段と、
少なくとも上記光照射手段により光が照射された領域を含むように検出領域を設定し、当該検出領域における上記媒体からの戻り光を検出する光検出手段と、
上記検出手段により検出された戻り光のスペクトルを所定の波長間隔毎に切り出し、上記切り出したスペクトルの強度分布に基づいて二値化したデジタルデータを上記波長間隔毎に生成するデータ再生手段とを備えること
を特徴とする情報再生装置。
【請求項２】
上記光検出手段を水平方向に移動させることにより、上記検出領域を切り替える移動手段を更に備えること
を特徴とする請求項１記載の情報再生装置。
【請求項３】
上記光照射手段は、半導体微粒子、金属性微粒子、磁性体微粒子、量子ドットの何れかで構成される上記微粒子が形成された上記媒体に対して光を照射すること
を特徴とする請求項１又は２記載の情報再生装置。
【請求項４】
上記光照射手段は、上記照射すべき光の波長、強度、モード、照射方向の何れか１以上を制御すること
を特徴とする請求項１〜３のうち何れか１項記載の情報再生装置。
【請求項５】
上記光照射手段により制御された光に基づいて、上記媒体上に近接配置された微粒子間で励起子を移動させることにより上記戻り光のスペクトルの差異を発現させること
を特徴とする請求項４記載の情報再生装置。
【請求項６】
上記光照射手段並びに上記光検出手段は、コアを有する光ファイバの表面において上記コアの中心部に出射開口が設けられるように遮光性被覆層が形成されてなる互いに同一の光プローブにより構成され、上記出射開口から近接場光を滲出させること
を特徴とする請求項１〜５のうち何れか１項記載の情報再生装置。
【請求項７】
媒体上に記録された情報を再生するための情報再生方法において、
ナノメータサイズの微粒子が形成された上記媒体、或いはナノメータサイズのピッチで形状又は物性に改変が施された上記媒体に対して光を照射する光照射ステップと、
少なくとも上記光照射ステップにおいて光を照射した領域を含むように検出領域を設定し、当該検出領域における上記媒体からの戻り光を検出する光検出ステップと、
上記検出ステップにおいて検出した戻り光のスペクトルを所定の波長間隔毎に切り出し、上記切り出したスペクトルの強度分布に基づいて二値化したデジタルデータを上記波長間隔毎に生成するデータ再生ステップとを有すること
を特徴とする情報再生方法。
【請求項８】
上記光検出ステップでは、上記検出領域を順次切り替えること
を特徴とする請求項７記載の情報再生方法。
【請求項９】
上記光照射ステップでは、半導体微粒子、金属性微粒子、磁性体微粒子、量子ドットの何れかで構成される上記微粒子が形成された上記媒体に対して光を照射すること
を特徴とする請求項７又は８記載の情報再生方法。
【請求項１０】
上記光照射ステップでは、上記照射すべき光の波長、強度、モード、照射方向の何れか１以上を制御すること
を特徴とする請求項７〜９のうち何れか１項記載の情報再生方法。
【請求項１１】
上記光照射ステップにおいて制御された光に基づいて、上記媒体上に近接配置された微粒子間で励起子を移動させることにより上記戻り光のスペクトルの差異を発現させること
を特徴とする請求項１０記載の情報再生方法。
【請求項１２】
上記光照射ステップでは、コアを有する光ファイバの表面において上記コアの中心部に出射開口が設けられるように遮光性被覆層が形成されてなる光プローブの上記出射開口から近接場光を滲出させること
を特徴とする請求項７〜１１のうち何れか１項記載の情報再生方法。
【発明の詳細な説明】
【技術分野】
【０００１】
本発明は、媒体上に記録された情報を再生するための情報再生装置及び方法に関し、特に媒体上に形成された微粒子に基づいてデジタルデータを再生する情報再生装置及び方法に関する。
【背景技術】
【０００２】
従来より、光メモリは超大容量情報通信技術において重要な役割を果たしてきている。特に近年において、光メモリは、１Ｔｂｐｓ／ｉｎｃｈ２を越える超高密度化も期待されている。
【０００３】
これらの超高密度化された光メモリには、例えば行と列のような番地で区切られた光記録媒体上に１又は０のデジタルデータが記録ビットを介して記録され、情報を読み出す際には、かかる光記録媒体上の記録ビットの番地を指定することによりこれを再生する。実際にこの番地を指定する際には、その番地に対応する記録ビットに対して照射する光のスポットを絞り込み、光記録媒体からの反射光を検出し、これを光電変換することにより情報を読み出すことになる。この番地に対応する記録ビットには、１ビットの情報が格納されていることから、上述した光を利用した１記録ビットの読み取り動作で、１ビットの情報しか再生することができない。
【０００４】
コンパクトディスク（ＣＤ）等の光記録媒体の場合には、物理的には行列構造を採用せず、同心円状に記録ビットを形成させた構成を採用するものの論理的構造は同様なものとなる。
【発明の開示】
【発明が解決しようとする課題】
【０００５】
上述した従来の光記録媒体では、あくまで情報を再生するときには、光スポットを１の記録ビットに絞込み、そこから１ビットの情報を得ることを前提としているため、複数ビットの情報を得るためには、集光すべき光スポットを順次他の記録ビットへとシフトさせる必要がある。このため、複数ビットの情報を読み出すための時間が長期化し、また読み出し効率も低くなるという問題点があった。このため、例えば映像や画像等の大容量データを再生する際においてこの読み出し効率の改善要請はますます高まっていた。
【０００６】
そこで、本発明は、上述した問題点に鑑みて案出されたものであり、その目的とするところは、複数ビットで構成される情報を１度の光照射、光検出で同時に再生することが可能な情報再生装置及び方法を提供することにある。
【課題を解決するための手段】
【０００７】
本発明に係る情報再生装置は、上述した課題を解決するために、媒体上に記録された情報を再生するための情報再生装置において、ナノメータサイズの複数の微粒子が互いに近接配置された上記媒体、或いはナノメータサイズのピッチで形状又は物性に改変が施された上記媒体に対して光を照射する光照射手段と、少なくとも上記光照射手段により光が照射された領域を含むように検出領域を設定し、当該検出領域における上記媒体からの戻り光を検出する光検出手段と、上記検出手段により検出された戻り光のスペクトルを所定の波長間隔毎に切り出し、上記切り出したスペクトルの強度分布に基づいて二値化したデジタルデータを上記波長間隔毎に生成するデータ再生手段とを備えることを特徴とする。
【０００８】
本発明に係る情報再生方法は、上述した課題を解決するために、媒体上に記録された情報を再生するための情報再生方法において、ナノメータサイズの微粒子が形成された上記媒体、或いはナノメータサイズのピッチで形状又は物性に改変が施された上記媒体に対して光を照射する光照射ステップと、少なくとも上記光照射ステップにおいて光を照射した領域を含むように検出領域を設定し、当該検出領域における上記媒体からの戻り光を検出する光検出ステップと、上記検出ステップにおいて検出した戻り光のスペクトルを所定の波長間隔毎に切り出し、上記切り出したスペクトルの強度分布に基づいて二値化したデジタルデータを上記波長間隔毎に生成するデータ再生ステップとを有することを特徴とする。
【発明の効果】
【０００９】
上述した構成からなる本発明では、戻り光のスペクトルを所定の波長間隔毎に切り出し、切り出したスペクトルの強度分布に基づいて二値化したデジタルデータを波長間隔毎に生成する。これにより、得られるデジタルデータを複数ビットで構成することができ、しかも１回の光の照射と、１回の戻り光の読み取り動作で実現することができる。このため、複数ビットの情報を読み出すための時間を短縮化させることができ、また読み出し効率も向上させることが可能となる。
【発明を実施するための最良の形態】
【００１０】
以下、本発明を実施するための最良の形態について図面を参照しながら詳細に説明する。
【００１１】
本発明は、例えば図１(a)に示すような情報再生装置１として適用される。この情報再生装置１は、例えば媒体２に記録された情報を再生するものであって、光を出射する光源１１と、光源１１から出射された光の光路中に配された偏光ビームスプリッタ１２と、偏光ビームスプリッタ１２を透過した光の光路中に配された１／４波長板１８と、１／４波長板１８を通過した光を集光して媒体２における記録面２ａへ照射する光プローブ１３と、媒体２における記録面２ａからの戻り光を検出する光検出器１４と、この光検出器１４に接続される再生部２４とを備えている。
【００１２】
光源１１は、図示しない電源装置を介して受給した駆動電源に基づき光を発振する。また、偏光ビームスプリッタ１２は、光源１１から出射された光を透過させて、記録面２ａへ導くとともに、記録面２ａからの戻り光を反射させて光検出器１４へ導く。この偏光ビームスプリッタ１２を透過した光は、１／４波長板１８へ入射される。ちなみに、この偏光ビームスプリッタ１２の代替として、通常のビームスプリッタを用いてもよい。
【００１３】
１／４波長板１８は、通過する光にπ／２の位相差を与えるものである。光源１１から出射された直線偏光の光は、１／４波長板１８を通過して円偏光となり、そのまま光プローブのコア３１へ入射される。また記録面２ａを反射して戻ってくる円偏光の光は、この１／４波長板１８を通過した場合に、光源１１から出射された光の偏光方向と異なる直線偏光となるため、上述した偏光ビームスプリッタ１２を反射することになる。
【００１４】
光プローブ１３は、光導波部２１と、突出部２２とを備えている。光導波部２１は、コア３１の周囲にクラッド３２が設けられた光ファイバより構成される。コア３１及びクラッド３２は、それぞれＳｉＯ２系ガラスからなり、Ｆ、ＧｅＯ２、Ｂ２Ｏ３等を添加することにより、コア３１よりもクラッド３２の屈折率が低くなるように組織制御されている。
【００１５】
突出部２２は、光導波部２１の一端においてクラッド３２から突出させたコア２０ａより構成されている。この突出させたコア２０ａは、図１(a)に示すように先端部５３に至るまで徐々に先細になるような勾配が設けられて構成される。この突出させたコア２０ａの中心部には、図１(b)の拡大図に示すように出射開口Ｄが設けられている。出射開口Ｄの直径ｔは、伝搬モード、透過屈折率、光効率、更には媒体２の特性等に基づいて決定される。なお、本発明において使用するこの光プローブ１３は、コア２０が先鋭化されていることは必須とならず、先端が扁平化されていてもよい。
【００１６】
また、この光プローブ１３は、コア３１を伝搬する光（以下、伝搬光という）を出射開口Ｄを介して出射する。この出射された伝搬光は、先端部５３から記録面２ａまでの距離ｈが、光源から出射される光の波長λ／４より大きい場合において、記録面２ａ上に照射されることになる。この伝搬光を利用して記録面２ａ上の情報を読み取るようにしてもよい。
【００１７】
また光プローブ１３において、出射開口Ｄの端面からエバネッセント波としての近接場光が滲み出す。この滲み出した近接場光は、距離ｈが、光源から出射される光の波長λ／４以下にある場合において、この記録面２ａ上に照射されることになる。この近接場光を利用して記録面２ａ上の情報を読み取るようにしてもよい。
【００１８】
光検出器１４は、記録面２ａからの戻り光を受光して光電変換し、これを光再生部２４へと出力する。
【００１９】
光再生部２４は、検出された戻り光のスペクトルを所定の波長間隔毎に切り出す切り出し部２６と、上記切り出したスペクトルの強度分布に基づいて二値化する二値化処理部２７とを備えている。
【００２０】
次に媒体２の構成について説明をする。図２(a)は、媒体２の断面構成を示している。媒体２は、基板４１と、この基板４１上に形成されたバッファ層４２と、バッファ層４２上に形成されたＧａＡｓ層４３と、ＧａＡｓ層４３内に形成された複数の量子ドット４６とを備えている。
【００２１】
基板４１は、例えば半絶縁性のＧａＡｓ（００１）基板を適用する。バッファ層４２としては、メサ加工基板としての基板４１上にＧａＡｓを成長させることにより生成され、例えば１５０ｎｍもの厚みを有する。ＧａＡｓ層４３は、バッファ層４２上に積層させることにより構成され、例えば１００ｎｍの厚みを有する。
【００２２】
量子ドット４６は、半導体微細加工技術を用いることにより、光励起担体に三次元的な量子閉じ込めを与えるほど微細なポテンシャルの箱を形成したものである。量子ドット４６は、この光励起担体の閉じ込め系を利用し、量子ドット内のキャリアのエネルギー準位を離散化させることができ、状態密度をデルタ関数的に尖鋭化させることができる。
【００２３】
量子ドット４６は、ＣｕＣｌ、ＧａＮ又はＺｎＯ等の材料系からなり、各量子ドット４６を構成する材料系がＣｕＣｌである場合に、これらは立方体として構成され、また各量子ドット４６を構成する材料系がＧａＮやＺｎＯである場合に、これらは球形或いは円盤形として構成される。この各量子ドット４６の辺長や径は、それぞれ４ｎｍ〜１０ｎｍ程度で構成することも可能となり、光の波長λと比較してより小さいサイズで基板上に形成させることも可能となる。
【００２４】
図２(b)は、媒体２の表面の１μｍ四方まで拡大した状態を示している。媒体２の表面には、量子ドット４６が不規則的に、又は規則的に配列されている。
【００２５】
なお、媒体２に形成される量子ドット４６の代替として、直径１μｍ以下のナノメータサイズの半導体微粒子、金属性微粒子、磁性体微粒子で構成されていてもよい。金属性微粒子は、例えば、Ａｕ等の微粒子で構成されている。更には、これに限らずナノメータサイズの複数のあらゆる微粒子が互いに近接配置されていればよく、光の回折限界以下の間隔で上記媒体１上に形成されていてもよい。
【００２６】
また、媒体２は、これらナノメータサイズの微粒子の代替として、ナノメータサイズのピッチで形状又は物性に改変が施されたもので構成されていてもよい。例えば、微細な凹凸を形成させることによりその形状が、又は屈折率を互いに異ならせる等の処理を加えることによりその物性が改変されていてもよい。また、凹凸を施すことに加えて、単に凸部のみ又は凹部のみを設けることにより形状に改変が施されていてもよい。
【００２７】
次に、上述の如き構成からなる情報再生装置１の動作について説明をする。情報再生装置１において、光源１１から出射された直線偏光成分を有する波長λの光は、偏光ビームスプリッタ１２を透過し、１／４波長板１８により偏光成分を制御された上で、光プローブ１３へ入射される。光プローブ１３に入射された光は、そのままコア３１内を伝搬する。
【００２８】
プローブ制御部１５は、例えば図３(a)に示すように、上記距離ｈが波長１／４λ以下となる領域（以下、近接場領域という）に光プローブ１３を近接方向に移動させる。その結果、出射開口Ｄの端面から滲み出した近接場光は、記録面２ａ上に照射され、近接場光による微小なスポットが形成されることになる。また、このプローブ制御部１５は、光プローブ１３をｘｙ平面上で（水平方向に）移動させることにより、光プローブ１３による検出領域を切り替えることも可能となる。
【００２９】
一方、プローブ制御部１５は、例えば図３(b)に示すように、上記距離ｈが波長１／４λより大きくなるように光プローブ１３を離間方向に移動させる。これによりコア内を伝搬する伝搬光がそのまま出射されて記録面２ａ上へ照射され、伝搬光による大きなスポットが形成されることになる。以下の例では、近接場光を照射する場合を例にとり説明をする。
【００３０】
ちなみに、この記録面２ａを反射した近接場光はそれぞれ出射開口Ｄを介して再び光プローブ１３へ入射し、コア３１内を伝搬する。そしてこのコア３１を出射した伝搬光又は近接場光は、偏光ビームスプリッタ１２により反射されて光検出器１４へ導かれる。光検出器１４へ導かれた光は、それぞれ電気的な信号に変換されることになる。
【００３１】
図４(a)は、この光検出器１４により光電変換される戻り光のスペクトルを示している。この図４(a)の例は、出射開口Ｄを２３０ｎｍとし、図５に示す領域Ａに近接場光によるスポットを絞り、当該領域Ａからの戻り光を検出したときにおける波長９００〜１０５０ｎｍの範囲におけるスペクトル分布である。
【００３２】
このような広帯域に亘るスペクトルが形成される理由は、光を照射された量子ドット４６による光学応答に起因するものである。量子ドット４６に対して光を照射すると、量子ドット４６はその材質やサイズに応じてこれを吸収し、また互いに共鳴しあう量子ドット間でエネルギーの授受を行い、更には共鳴順位から下位順位へと光を放出する。このときの放出光の波長は、量子ドット４６の形状やサイズ、隣接する量子ドット４６との大小関係や共鳴関係、更にはその距離に依存する。また、この放出光の波長は、量子ドット４６の配置にも依存し、或いは媒体２上へ照射する光の波長、強度、モード、照射方向の何れか１以上にも依存する。これらの量子ドット間の相互作用の影響は、各量子ドット４６に対してそれぞれ個別に及ぶことになることから、各量子ドット４６から放出される光の波長は、同一の場合もあれば異なる場合もあるが、全体としてみたときには、図４(a)に示すような広帯域に亘るスペクトルとして現れる。仮にこの照射する波長が単一波長で構成されていても、その戻り光のスペクトル分布は広帯域に亘るものとなる。
【００３３】
ちなみに、この領域Ａに複数の量子ドット４６が含まれるように、量子ドット４６の配置とスポット径が調整されている必要がある。その理由として、量子ドット４６間において相互作用を起こさせて、上述した広帯域に亘るスペクトルを形成させる必要があるところ、複数の量子ドットを一検出単位に含める必要があるためである。
【００３４】
光再生部２４における切り出し部２６は、この検出された戻り光のスペクトルを所定の波長間隔毎に切り出す。切り出し部２６は、波長間隔約４ｎｍで３３個の区間に分割して切り出すが、これに限定されるものではなく、いかなる波長間隔でいかなる区間数で分割するようにしてもよい。
【００３５】
図４(b)は、この波長間隔約４ｎｍで切り出した１の区間の拡大図である。二値化処理部２７は、この波長間隔約４ｎｍで切り出した１の区間のスペクトルの強度分布を積分する。そして二値化処理部２７は、得られた積分値と、予め定めた閾値とを比較する。その結果、積分値が閾値を超える場合には、“１”、積分値が閾値以下の場合には“０”とすることで、これを二値化する。なお、この二値化処理部２７は、上述したようなスペクトル強度の積分値に基づいて二値化する場合に限定されるものではなく、スペクトルの強度分布に基づくものであれば他のいかなる手法を用いて二値化するようにしてもよい。
【００３６】
このようにして、切り出した各区間について、スペクトル強度に基づいて二値化することにより、分割した全３３区間においてそれぞれ、“１”又は“０”のデジタルデータが生成されることになる。分割した３３区間をそれぞれビットに割り当てたとき、全部で３３ビットのデジタルデータを生成することが可能となる。
【００３７】
ここで、図４(a)に示すように、波長９００〜１０５０ｎｍの範囲において、短波長から長波長にかけて、順にbit１、bit２、bit３、・・・、bit３３と割り当てを行ったとき、３３ビットのデジタルデータは、図６に示すように、３３桁の“１”又は“０”からなるビット列で表すことが可能となる。
【００３８】
ここまでの３３ビットのデジタルデータの取得は、情報再生装置１による１回の光の照射と、１回の戻り光の読み取り動作で実現することができる。このため、本発明を適用した情報再生装置１による情報再生方法では、複数ビットの情報を得るためには、集光すべき光スポットを順次他の記録ビットへとシフトさせる従来の方法と比較して、複数ビットの情報を読み出すための時間を短縮化させることができ、また読み出し効率も向上させることが可能となる。このため、特に映像や画像等の大容量データを再生する際において本発明は特に優位性を発揮することが可能となる。
【００３９】
なお図４(a)に示すスペクトルは、領域Ａに対して光の照射、検出を行った場合における特有の傾向である。即ち、媒体２における領域Ａに対して、本発明を適用した情報再生装置１を用いて光の照射、検出を行うことで、常に同一のスペクトルを得ることが可能となり、同一のデジタルデータのビット列を得ることが可能となる。このためデータの再現性を確保することが可能となる。
【００４０】
次に、情報再生装置１は、図５に示す領域Ｂに近接場光によるスポットを絞り、当該領域Ｂからの戻り光を検出したものとする。実際には、プローブ制御部１５による制御の下、光プローブ１３を水平方向へ移動させることにより、検出領域の切り替えを行う。
【００４１】
この領域Ｂからの戻り光のスペクトルは、領域Ａからの戻り光のスペクトルとは異なるものとなる。その理由として、領域Ａと領域Ｂとでは、その検出対象としての量子ドット４６群が互いに異なり、量子ドット４６群が異なれば、放出される光のスペクトルも当然に異なるためである。
【００４２】
領域Ｂからの戻り光のスペクトルについても同様に、所定の波長間隔毎に切り出し、上記切り出したスペクトルの強度分布に基づいて二値化したデジタルデータを波長間隔毎に生成する。これにより、領域Ｂからの戻り光に基づいて生成したデジタルデータは、領域Ａからの戻り光に基づいて生成したデジタルデータとの間で、上述したスペクトルの違いに基づいた差異を出すことが可能となる。ちなみに、この領域Ｂから得られるデジタルデータも同様に複数ビットで構成することができ、しかも情報再生装置１による１回の光の照射と、１回の戻り光の読み取り動作で実現することができる。このため、複数ビットの情報を読み出すための時間を短縮化させることができ、また読み出し効率も向上させることが可能となる。
【００４３】
なお、この検出領域は、図５の領域Ｃのように他の領域Ａと重なり合う部分が存在していてもよい。仮に重なる領域にある量子ドット４６からは同一の光学応答が現われてきても、その他の非重複領域における量子ドット４６からの光学応答が異なれば、領域Ｃから得られるスペクトルは、領域Ａのスペクトルと異なり、独自のデジタルデータを生成することが可能となるためである。
【００４４】
また、上述した例では、あくまで３３ビットからなるデジタルデータを生成する場合について例を挙げて説明をしたが、これに限定されるものではない。例えば、切り出し部２６において切り出すべき波長間隔を変えることにより、デジタルデータのビット数を増減させてもよいことは勿論である。また、単一ビットのデジタルデータを生成する装置として実現化されていてもよい。かかる場合には、照射すべき光の波長、強度、モード、照射方向の何れか１以上を切り替えれば、同一の検出領域であっても得られる光学応答は異なる。これを利用して二値化処理部２７における閾値を予め設定しておくことにより、ある光の波長が照射された場合には、デジタルデータ“１”が、またある光の波長が照射された場合には、デジタルデータ“０”が再生される装置として実現することも可能となる。
【実施例１】
【００４５】
以下、本発明を適用した情報再生装置１による再生時において、記録面２ａ上に形成されるスポット径と、得られるデジタル信号の多様性の関係を調査した結果について説明をする。
【００４６】
ここで、図７に示すように、量子ドット４６が１０１０個／ｃｍ２の割合で形成されてなる記録面２ａ上に、非常に小さい径からなるスポットＧの光を照射する場合を考える。この場合、スポットＧに含まれる量子ドット４６は１個又は０個である。記録面２ａ上に形成されている量子ドット４６の空間密度が低く、任意の量子ドット４６の間隔が離れている場合には、かかるスポットＧに含まれる量子ドット４６の個数が０となる可能性が高い。スポットＧに含まれる量子ドット４６の個数が０となる場合、再生される信号が存在しないことになることは言うまでもない。
【００４７】
次に、記録面２ａ上に形成された、非常に大きい径からなるスポットＨを考える。この場合、スポットＨに含まれる量子ドット４６は多数である。スポットＨの位置を変化させても、量子ドット４６からの光学応答は、平均的にはほぼ一定であると考えられる。
【００４８】
次に、スポットＧとスポットＨの中間のサイズからなるスポットＩは、量子ドット４６が複数個含まれる。しかし、このスポットＩの位置を水平方向にシフトさせると、量子ドット４６からの光学応答は、これに含まれる量子ドット４６の数や配置による影響を大きく受けることになる。
【００４９】
即ち、この量子ドット４６からの光学応答は、量子ドット４６の数や配置による影響を受けるが、これらは記録面２ａに形成されるスポットの径に依存する。
【００５０】
これら光学応答特性のスポット径依存性を実証するために、光プローブ１３の出射開口Ｄを５０、８０、２３０、４８０ｎｍと異ならせて、それぞれの光学応答特性を調査した。
【００５１】
かかる調査では、再生部２４において検出した戻り光のうち、波長９００〜１０５０ｎｍの範囲に注目し、この区間を波長約４ｎｍで３３個の区間に分割する。そして、それぞれの区間における光強度の積分値の総和に基づいて、二値化処理部２７において分光データを二値化し、３３ビットのデジタルデータを取得する。
【００５２】
この操作を上記出射開口Ｄ（＝５０、８０、２３０、４８０ｎｍ）についてそれぞれ実行していくことになるが、このとき出射開口Ｄ毎に検出位置を２５箇所に亘ってシフトさせる。ここで出射開口径φで得られる３３ビットのデータをベクトル
2009170008.tif 000003
である。図８(a)は、出射開口径Ｄが５０ｎｍである場合のデジタルデータを、また、図８(b)は、出射開口径Ｄが２３０ｎｍである場合のデジタルデータを示す。それぞれ２５箇所に亘って異ならせた検出位置をｘ１、ｘ２、・・・ｘ２５としたとき、各検出位置毎に３３ビットのデジタルデータが生成されることになる。各検出位置におけるデジタルデータは、図６に示すように３３桁のビット番号を横軸に、また縦軸を１又は０としている。
【００５３】
図８(a)に示すように、出射開口径Ｄが５０ｎｍである場合のデジタルデータは、全ビットが０であるデジタルデータが複数に亘って得られていることが分かる。これは、出射開口径Ｄが小さいため、かかる照射した光スポットに含まれる量子ドット４６の個数が０となる可能性が高くなるためである。これに対して、図８(b)に示すように、出射開口径Ｄが２３０ｎｍである場合のデジタルデータは、各検出位置間において異なるものとなる。換言すれば、出射開口径Ｄが２３０ｎｍである場合のデジタルデータは、出射開口径Ｄが５０ｎｍである場合と比較して、多様性を持たせることが可能となる。
【００５４】
即ち、出射開口径Ｄを適当な寸法とすることにより、再生される信号の種類が増加し、得られるデジタルデータの多様性を高めることが可能となる。かかる点について、固有値分解を用いた解析により説明をする。
【００５５】
2009170008.tif 000004
【００５６】
2009170008.tif 000005
【００５７】
2009170008.tif 000006
【００５８】
ここで共分散行列の固有分解により信号の多様性を評価することができる。
【００５９】
図９(a)は、開口径Ｄが８０ｎｍ、２３０ｎｍ、４８０ｎｍに関する共分散行列の固有値を最大から順に６個示している。横軸の１が最大固有値であり、横軸の番号ｎは、ｎ番目に大きい固有値（第ｎ固有値）を示している。縦軸は、最大固有値を１としたときの第ｎ固有値の相対的な値（相対固有値という。）を示している。
【００６０】
開口径Ｄが８０ｎｍ、４８０ｎｍの場合には、最大固有値に対して２番目に大きな固有値（第２固有値）が一気に減少し、約３０％もの減少幅を示すことが分かる。これは、開口径Ｄが８０ｎｍ、４８０ｎｍに対して再生されるデータは、最大固有値に対応した固有ベクトルで代表されることを示している。これに対して、開口径Ｄが２３０ｎｍの場合には第２固有値は最大固有値に対して急速には減少しない。即ち、開口径Ｄが２３０ｎｍの場合に再生されるデータは、最大固有値に対応した固有ベクトルのみで代表させることはできず、第２固有値に対応した固有ベクトルも不可欠であることを示している。開口径Ｄが２３０ｎｍの場合に得られるデジタルデータは、開口径Ｄが８０ｎｍ、４８０ｎｍの場合に得られるデータよりも、多様性が大きいことが分かる。
【００６１】
図９(b)は、それぞれの開口径において得られるデジタルデータ“１”からなるビットの総和の分布を示している。横軸はデジタルデータ“１”からなるビットの総和を、縦軸は度数を示している。開口径Ｄが５０ｎｍにおいては、信号強度が、また開口径Ｄが４８０ｎｍにおいては、信号頻度が、それぞれ向上している。即ち、開口径Ｄが大きすぎる場合、並びに小さすぎる場合には、デジタル信号の出現の仕方に偏りが生じることが分かる。
【００６２】
上述した図９(a)、(b)の結果から、開口径Ｄを２３０ｎｍ程度に設定したときに、得られるデジタルデータに多様性を持たせることができ、高効率な再生を実現することができることが分かる。
【図面の簡単な説明】
【００６３】
【図１】本発明を適用した情報再生装置の構成図である。
【図２】本発明を適用した情報再生装置により再生可能な媒体について説明するための図である。
【図３】本発明を適用した情報再生装置による情報再生方法について説明するための図である。
【図４】光検出器により光電変換される戻り光のスペクトルを示す図である。
【図５】本発明を適用した情報再生装置により形成される近接場光のスポットの例を示す図である。
【図６】生成したデジタルデータのビット列の例を示す図である。
【図７】本発明を適用した情報再生装置により形成される近接場光のスポットの例を示す他の図である。
【図８】(a)は、出射開口径Ｄが５０ｎｍである場合のデジタルデータを、また(b)は、出射開口径Ｄが２３０ｎｍである場合のデジタルデータを示す図である。
【図９】共分散行列の固有分解により信号の多様性を評価した結果について説明するための図である。
【符号の説明】
【００６４】
１  情報再生装置
２  媒体
１１  光源
１２  偏光ビームスプリッタ
１３  光プローブ
１４  光検出器
１８  １／４波長板
２１  光導波部
２２  突出部
２４  光再生部
２６  切り出し部
２７  二値化処理部
【図１】
2009170008.tif 000007
【図２】
2009170008.tif 000008
【図３】
2009170008.tif 000009
【図４】
2009170008.tif 000010
【図５】
2009170008.tif 000011
【図６】
2009170008.tif 000012
【図７】
2009170008.tif 000013
【図８】
2009170008.tif 000014
【図９】
2009170008.tif 000015